(57)【要約】【課題】長期にわたり安定した微生物分解性能を発揮し、使い勝手の良い生ごみ処理機を提供する。【解決手段】生ごみを微生物分解処理する処理槽２と、前記処理槽２内に空気を吹き出す送風口１７と、前記送風の発生源となる送風装置１１とを備え、前記送風を斜め下方に吹き出すように構成したもので、投入直後の多量の水分を含んだ生ごみを送風で乾燥することにより、処理槽２内の処理物が水分過多になるのを防止できるので、臭気発生を抑制しながら生ごみの分解処理が効率よく行なわれる。さらに、送風が斜め下方に吹き出されることで、投入された生ごみの表面に送風が効率よく当たり、乾燥がより効率よく行なわれ、使い勝手の良い生ごみ処理機を提供することができる。【選択図】図１
2005230597.tif 000002
【特許請求の範囲】
【請求項１】
生ごみを微生物分解処理する処理槽と、前記処理槽内に空気を吹き出す送風口と、前記送風の発生源となる送風装置とを備え、前記送風を斜め下方に吹き出すように構成した生ごみ処理機。
【請求項２】
生ごみを微生物分解処理する処理槽と、前記処理槽内に空気を吹き出す送風口と、前記送風の発生源となる送風装置と、下端が前記送風口の下側に位置するように設けられた下フラップとを備え、前記下フラップを、その上端が反処理槽側になるように傾斜させて設けた生ごみ処理機。
【請求項３】
下フラップの処理槽側先端を、少なくとも処理槽の側壁の内面まで延設した請求項２記載の生ごみ処理機。
【請求項４】
送風口に、送風を斜め下方にガイドするように傾斜しかつ水平方向に伸延した水平フラップを上下方向に複数設け、ひとつの前記水平フラップの処理槽側の先縁の鉛直下方よりも、直下の前記水平フラップの反処理槽側の奥縁を反処理槽側に位置させた請求項１記載の生ごみ処理機。
【請求項５】
生ごみを微生物分解処理する処理槽と、前記処理槽内に空気を吹き出す送風口と、前記送風の発生源となる送風装置と、前記送風口に設けられ水平方向に伸延した複数の水平フラップとを備え、前記水平フラップに前記処理槽側に突出した垂直リブを設けた生ごみ処理機。
【請求項６】
垂直リブの処理槽側の先端を、水平フラップの処理槽側の先端よりも処理槽側に位置させた請求項５記載の生ごみ処理機。
【請求項７】
垂直リブの処理槽側の先端の最下端を、少なくとも処理槽内に位置させた請求項６記載の生ごみ処理機。
【発明の詳細な説明】
【技術分野】
【０００１】
本発明は、家庭や食堂などの厨房で発生する生ごみを減容、減量処理する生ごみ処理機に関するものである。
【背景技術】
【０００２】
従来の一般的な生ごみ処理機を、図６を用いて説明する。
【０００３】
生ごみ処理機本体４０内に、微生物の生息場所となるおがくず等の微生物担体４１を入れた微生物処理槽４２と、投入された生ごみ４３と微生物担体４１とを混合、撹拌するための回転撹拌棒４４及びその駆動装置４５と、微生物処理槽４２内の温度を適正に保つための加熱手段４６と、微生物処理槽４２内に酸素（空気）を供給するための送風装置４７
と、微生物処理槽４２内の空気を排気する排気口４８と、前記排気口４８内に設けられ図示しない加熱手段による熱と白金等の触媒作用で臭気物質を酸化する触媒脱臭装置（図示せず） と、それらの制御を行う制御手段（図示せず）とを備え、投入された生ごみ４３を微生物により最終的には二酸化炭素と水、その他に分解し、生ごみ４３を減量、減容する、いわゆるバイオ式生ごみ処理機といわれる装置が一般的に知られている (例えば、特許文献１参照)。
【特許文献１】特開平７−１７１５４５号公報
【発明の開示】
【発明が解決しようとする課題】
【０００４】
しかしながら、厨房より排出される生ごみは一応の水切りはされていても、約８割は水分であるため、上記従来の構成では、投入される生ごみの多量の水分によって微生物処理槽４２の中は水分過多の状態となり、容易に嫌気性菌が優位となり、嫌気性醗酵の状態となりやすかった。嫌気性醗酵は一般に分解生成物が非常に臭気の高いものが多く、結果として、発生した臭気物質は触媒などを用いた触媒脱臭装置で分解せざるを得ないため、それに多くの電力を必要とし、非常に効率の悪いものであった。
【０００５】
本発明は上記従来の課題を解決するもので、長期間にわたって安定した乾燥性能を実現し、微生物処理槽の水分過多を事前に防止し、好気性菌の優位な状態を保つことにより、より安価に臭気発生の少ない、使い勝手の良い生ごみ処理機を提供することを目的とする。
【課題を解決するための手段】
【０００６】
前記従来の課題を解決するために、本発明の生ごみ処理機は、生ごみを微生物分解処理する処理槽と、前記処理槽内に空気を吹き出す送風口と、前記送風の発生源となる送風装置とを備え、前記送風を斜め下方に吹き出すように構成したもので、投入直後の多量の水分を含んだ生ごみを送風で乾燥することにより、処理槽内の処理物が水分過多になるのを防止できるので、臭気発生を抑制しながら生ごみの分解処理が効率よく行なわれる。さらに、送風が斜め下方に吹き出されることで、投入された生ごみの表面に空気が効率よく当たり、乾燥がより効率よく行なわれ、使い勝手の良い生ごみ処理機を提供することができる。
【０００７】
また、本発明の生ごみ処理機は、生ごみを微生物分解処理する処理槽と、前記処理槽内に空気を吹き出す送風口と、前記送風の発生源となる送風装置と、下端が前記送風口の下側に位置するように設けられた下フラップとを備え、前記下フラップを、その上端が反処理槽側になるように傾斜させて設けたもので、投入直後の多量の水分を含んだ生ごみが事前に送風で乾燥され、処理槽内の処理物が水分過多になるのを防止できるので、生ごみの分解処理が効率よく行なえると共に、下フラップにより、送風口内部に水が進入するのを阻止することができ、より安定して使用できる使い勝手の良い生ごみ処理機を提供することができる。
【０００８】
さらに、本発明の生ごみ処理機は、生ごみを微生物分解処理する処理槽と、前記処理槽内に空気を吹き出す送風口と、前記送風の発生源となる送風装置と、前記送風口に設けられ水平方向に伸延した複数の水平フラップとを備え、前記水平フラップに前記処理槽側に突出した垂直リブを設けたもので、送風口の水平フラップの強度が垂直リブにより向上するとともに、送風の吹き出し方向が安定するので、送風がより遠方まで届くようになり、乾燥性能が向上するため、使い勝手の良い生ごみ処理機を実現することができる。
【発明の効果】
【０００９】
本発明は、投入された生ごみの乾燥性能を向上し、より安価に臭気発生の少ない、使い勝手の良い生ごみ処理機を実現するものである。
【発明を実施するための最良の形態】
【００１０】
第１の発明は、生ごみを微生物分解処理する処理槽と、前記処理槽内に空気を吹き出す送風口と、前記送風の発生源となる送風装置とを備え、前記送風を斜め下方に吹き出すように構成したもので、投入直後の多量の水分を含んだ生ごみを送風で乾燥することにより、処理槽内の処理物が水分過多になるのを防止できるので、臭気発生を抑制しながら生ごみの分解処理が効率よく行なわれる。さらに、送風が斜め下方に吹き出されることで、投入された生ごみの表面に送風が効率よく当たり、乾燥がより効率よく行なわれ、使い勝手の良い生ごみ処理機を提供することができる。
【００１１】
第２の発明は、生ごみを微生物分解処理する処理槽と、前記処理槽内に空気を吹き出す送風口と、前記送風の発生源となる送風装置と、下端が前記送風口の下側に位置するように設けられた下フラップとを備え、前記下フラップを、その上端が反処理槽側になるように傾斜させて設けたもので、投入直後の多量の水分を含んだ生ごみが事前に送風で乾燥され、処理槽内の処理物が水分過多になるのを防止できるので、生ごみの分解処理が効率よく行なえると共に、下フラップにより、送風口内部に水が進入するのを阻止することができ、より安定して使用できる使い勝手の良い生ごみ処理機を提供することができる。
【００１２】
第３の発明は、下フラップの処理槽側先端を、少なくとも処理槽の側壁の内面まで延設したもので、処理槽へ向かって跳ねた水やごみもすべて処理槽内に戻すことができる。
【００１３】
第４の発明は、送風口に、送風を斜め下方にガイドするように傾斜しかつ水平方向に伸延した水平フラップを上下方向に複数設け、ひとつの前記水平フラップの処理槽側の先縁の鉛直下方よりも、直下の前記水平フラップの反処理槽側の奥縁を反処理槽側に位置させたもので、送風口全体に渡って跳ねた水やごみを処理槽内へ戻すことが可能となり、より安定して使用できる使い勝手の良い生ごみ処理機を提供することができる。
【００１４】
第５の発明は、生ごみを微生物分解処理する処理槽と、前記処理槽内に空気を吹き出す送風口と、前記送風の発生源となる送風装置と、前記送風口に設けられ水平方向に伸延した複数の水平フラップとを備え、前記水平フラップに前記処理槽側に突出した垂直リブを設けたもので、送風口の水平フラップの強度が垂直リブにより向上するとともに、送風の吹き出し方向が安定するので、送風がより遠方まで届くようになり、乾燥性能が向上するため、使い勝手の良い生ごみ処理機を実現することができる。
【００１５】
第６の発明は、垂直リブの処理槽側の先端を、水平フラップの処理槽側の先端よりも処理槽側に位置させたもので、ごみ等が付着しても送風口が閉塞されにくく、又垂直方向には抵抗がないため、付着したごみを落としやすいので、より長期にわたって乾燥性能を維持できる使い勝手の良い生ごみ処理機を実現することができる。
【００１６】
第７の発明は、垂直リブの処理槽側の先端の最下端を、少なくとも処理槽内に位置させたもので、送風口に付着したごみを容易に処理槽内に落とせるので、メンテナンスが容易で、しかも長期にわたって乾燥性能を維持することができる使い勝手の良い生ごみ処理機を提供することができる。
【００１７】
以下、本発明の実施の形態について、図面を参照しながら説明する。なお、この実施の形態によりこの発明が限定されるものではない。
【００１８】
（実施の形態１）
図１は、本発明の実施の形態１における生ごみ処理機の概略断面図、図２は、同生ごみ処理機の送風装置の断面図、図３は、同生ごみ処理機の送風口部の断面図である。
【００１９】
図において、２は生ごみおよびオガクズなどの担体を内装する処理槽で、上方に開閉自在の蓋３を備え、それを開放して生ごみの投入ができるようになっている。４は撹拌手段で、モータ等の原動機による駆動装置５で回転駆動され、前記処理槽２内の生ごみおよびオガクズなどの担体を撹拌する。
【００２０】
６は処理槽２の外壁に貼り付けられた加熱手段で、必要に応じて加熱され、処理槽２を所定の温度に維持するためのものである。７は処理槽２内と外気とを連通した吸気通路で、８は同じく処理槽２内と外気と連通した排気通路で、排気通路８には処理槽２内の空気を排出する排気送風装置９が設けられている。
【００２１】
１０は、排気通路８の端部に配され外に向かって開口した排気口で、前記排気送風装置９の動作により吸引された処理槽２からの空気を排気する。１１は吸気通路７の途中に設けられた送風装置で、熱源である送風ヒータ１３を内蔵している。送風ヒータ１３は、平板状の正方向サーミスタ素子１２を、電極を兼ねる二つの放熱フィン１５で挟持して形成され、正方向サーミスタ素子１２に電力を供給するとともに発熱を空気中に発散する。１６は、同じく送風装置１１に内装されると共に、前記送風ヒータ１３の上流に配置され、外気と連通する吸気送風装置で、外気を吸入して前記送風ヒータ１３に供給するものである。
【００２２】
１７は吸気通路７と処理槽２内と連通する送風口である。１８は送風口１７の上端に設けられた上フラップで、処理槽２の側壁より処理槽２内側に向かって先縁１９が下方に傾斜して設けられている。２０は、送風口１７の下側に処理槽２と反する吸気通路７側の奥縁２１が上方に傾斜するように設けられた下フラップで、その前端２２は処理槽２の内壁に至っている。
【００２３】
以上のように構成された生ごみ処理機において、その動作を説明する。
【００２４】
処理される生ごみは蓋３をあけ、処理槽２に投入される。処理槽２では加熱手段６により常に微生物にとって最適な温度に保持され、撹拌手段４によって撹拌されることにより、微生物が必要とする空気が撹拌供給される。処理槽２は吸気通路７と排気通路８で外気と連通しており、排気通路８の送風装置９を運転することで、外気が吸気通路７を通して吸引され、処理槽２内に外気が供給される。同時に排気通路８からは処理槽２内の水分や生ごみの分解による臭気成分などが排気される。さらに送風装置１１で生成された送風が上フラップ１８により、斜め下方にガイドされ、生ごみの表面に吹きつけられる。なお、外気温が低いときや処理槽２内の湿度が高いときには、前記送風ヒータ１３を加熱させ、前記生ごみの表面に吹きつけられる送風は、温風となる。
【００２５】
このような生ごみの微生物による分解には、微生物の環境が安定することが必要であり、処理槽２内の水分や空気の供給などの環境維持ができない場合、例えば、嫌気性微生物が優位となり、非常に多くの臭気成分が発生して使用上困難な状態に陥ることが起こる。
【００２６】
本実施の形態では、投入された生ごみの水分をあらかじめ送風装置１１からの送風で乾燥することによって処理槽２内に多量の水分が入ることを防止するものである。
【００２７】
また、上フラップ１８が送風口１７に傾斜して設けられているので、生ごみ投入時に誤ってごみや水が送風口１７に落ち込むのを防ぎ、同時に下フラップ２０が万一侵入したごみや水を捕捉し、処理槽２内へ戻すことができる。こうすることで、より臭気が少なく、安定した分解性能を維持できる生ごみ処理機が提供できるものである。
【００２８】
なお、本発明の実施の形態は実施の一つの形態であり、本実施の形態が、本発明の請求の範囲を制限するものではない。
【００２９】
（実施の形態２）
本発明の第２の実施の形態について図４、図５をもとに説明する。なお、上記実施の形態と同一部分については同一符号を付してその説明を省略する。
【００３０】
図４は本実施の形態における生ごみ処理機の送風口部の構成を示す断面図、図５は同送風口部の斜視図である。
【００３１】
本実施の形態は、図に示すように、送風口２３に複数の水平フラップ２４を水平に配すると共に、その処理槽２側の先縁２５が下方に、吸気通路７側の奥縁２６が上方になるように傾斜させる。そしてひとつの水平フラップ２４ａの処理槽２側の先縁２５ａの鉛直下方よりも、直下の水平フラップ２４ｂの吸気通路７側の奥縁２６ｂが吸気通路７側の奥に位置する。２７は処理槽２側に突出すると共に各水平フラップ２４と直交する方向に結合された垂直リブで、その下端２８は処理槽２内に突出している。
【００３２】
上記構成により、送風口２３をより細かい空間間隔で水平フラップ２４で分割することにより、異物の入り込み等を防止でき、さらに垂直リブ２７によって送風口２３に付着するごみ等の多くを垂直リブ２７の先端２７ａで捕らえることにより吸気通路７内部へのごみ侵入を防止するとともにそれらが容易に処理槽２内に戻るようになるので、目詰まりなどが無く、送風による乾燥性能を維持できるので、いつまでも安定した分解性能が得られる共に臭気発生が少ない、極めて使い勝手の良い生ごみ処理機を提供することができるものである。
【産業上の利用可能性】
【００３３】
以上のように、本発明にかかる生ごみ処理機は、水分が多い生ごみが投入されたとしてもいつまでも安定した分解性能と臭気発生の少ない、使い勝手の良い生ごみ処理機を提供できるもので、家庭、レストラン、各種施設の食堂から排出される生ごみを処理する生ごみ処理機に適用できるものである。
【図面の簡単な説明】
【００３４】
【図１】本発明の実施の形態１における生ごみ処理機の概略断面図
【図２】同生ごみ処理機の送風装置の断面図
【図３】同生ごみ処理機の送風口部の断面図
【図４】本発明の実施の形態２における生ごみ処理機の送風口部の断面図
【図５】同送風口部の斜視図
【図６】従来の生ごみ処理機の断面図
【符号の説明】
【００３５】
１  生ごみ処理機本体
２  処理槽
４  撹拌手段
６  加熱手段
７  吸気通路
８  排気通路
９  排気送風装置
１０  排気口
１１  送風装置
１３  送風ヒータ
１６  吸気送風装置
１７  送風口
１８  上フラップ
１９  先縁
２０  下フラップ
２１  奥縁
２２  前端
２３  送風口
２４  水平フラップ
２５  先縁
２６  奥縁
２７  垂直リブ
２８  下端
【図１】
2005230597.tif 000003
【図２】
2005230597.tif 000004
【図３】
2005230597.tif 000005
【図４】
2005230597.tif 000006
【図５】
2005230597.tif 000007
【図６】
2005230597.tif 000008